(57)【要約】本発明は、衣類の洗濯、乾燥、脱臭、殺菌及びシワ除去が可能な衣類処理装置に関し、衣類が収容される収容空間が備えられたキャビネット、収容空間の内部に空気又は水分のうち少なくとも１つを供給する供給部、衣類のシワを除去するために衣類を加圧するように収容空間の内部に備えられたプレッサ、およびプレッサで衣類を加圧する前に衣類を加圧して固定する固定部を含む衣類処理装置を提供する。【選択図】  図１
2019537478.tif 000002
【特許請求の範囲】
【請求項１】
衣類処理装置であって、
衣類が収容される収容空間が備えられたキャビネット；
前記収容空間の内部に空気又は水分のうち少なくとも１つを供給する供給部；
衣類のシワを除去するために、衣類を加圧するように前記収容空間の内部に備えられたプレッサ；及び
前記プレッサで衣類を加圧する前に、衣類を加圧して固定する固定部を備えてなることを特徴とする、衣類処理装置。
【請求項２】
前記固定部は、
衣類の中心に備えられた縫い目を加圧しないように、衣類の左右の両端部を着脱自在に加圧して固定することを特徴とする、請求項１に記載の衣類処理装置。
【請求項３】
前記固定部は、前記プレッサの下側に備えられることを特徴とする、請求項２に記載の衣類処理装置。
【請求項４】
前記固定部は、
前記収容空間の内部に固定されて衣類を支持する第１の支持部；
前記第１の支持部の左側端に備えられ、前記第１の支持部との間に衣類の左側端部を加圧して固定する第１の左側クリップ；及び
前記第１の支持部の右側端に備えられ、前記第１の支持部との間に衣類の右側端部を加圧して固定する第１の右側クリップで構成されることを特徴とする、請求項２に記載の衣類処理装置。
【請求項５】
前記第１の支持部の中心部は、前記収容空間の内部に固定され、
前記第１の支持部の両端部は、弾性力を有する自由端として備えられることを特徴とする、請求項４に記載の衣類処理装置。
【請求項６】
前記固定部は、前記収容空間に固定されて衣類の左側端部を固定する第２の左側クリップと、前記収容空間に固定されて衣類の右側端部を固定する第２の右側クリップを備えてなり、
前記第２の左側クリップは、衣類の左側端部を支持する第２の左側クリップ支持部と、前記第２の左側クリップ支持部から離隔して回転自在に備えられ、前記第２の左側クリップ支持部との間に衣類が挿入されるとき、衣類の挿入方向に回転して弾性力を貯蔵して、貯蔵された弾性力が復元力として作用して衣類を加圧する第２の左側クリップ加圧部とで構成され、
前記第２の右側クリップは、衣類の右側端部を支持する第２の右側クリップ支持部と、前記第２の右側クリップ支持部から離隔して回転自在に備えられ、前記第２の右側クリップ支持部との間に衣類が挿入されるとき、衣類の挿入方向に回転して弾性力を貯蔵して、貯蔵された弾性力が復元力として作用して衣類を加圧する第２の右側クリップ加圧部とで構成されることを特徴とする、請求項５に記載の衣類処理装置。
【請求項７】
前記第１の左側クリップは、前記第２の左側クリップ支持部と前記第２の左側クリップ加圧部との間に挿入される衣類の挿入方向に前記第２の左側クリップ加圧部を回転させるために、前記第２の左側クリップ加圧部から延長された第２の左側クリップ取っ手を備えてなり、
前記第１の右側クリップは、前記第２の右側クリップ支持部と前記第２の右側クリップ加圧部との間に挿入される衣類の挿入方向に、前記第２の右側クリップ加圧部を回転させるために、前記第２の右側クリップ加圧部から延長された第２の右側クリップ取っ手を備えてなることを特徴とする、請求項６に記載の衣類処理装置。
【請求項８】
前記第２の左側クリップは、前記第２の左側クリップ支持部と前記第２の左側クリップ加圧部との間に挿入される衣類を固定するために、前記第２の左側クリップ支持部及び前記第２の左側クリップ加圧部のうち少なくとも１つの表面にゴム材のダンパーを備え、
前記第２の右側クリップは、前記第２の右側クリップ支持部と前記第２の右側クリップ加圧部との間に挿入される衣類を固定するために、前記第２の右側クリップ支持部及び前記第２の右側クリップの加圧部のうち少なくとも１つの表面にゴム材のダンパーを備えてなることを特徴とする、請求項６に記載の衣類処理装置。
【請求項９】
前記第２の左側クリップは、前記第２の左側クリップ支持部と前記第２の左側クリップ加圧部との間に衣類が容易に挿入されるように、前記第２の左側クリップ支持部及び前記第２の左側クリップ加圧部のうち少なくとも１つの表面に、前記第２の左側クリップ支持部と前記第２の左側クリップ加圧部との間の間隔が離れる傾斜部を備えてなり、
前記第２の右側クリップは、前記第２の右側クリップ支持部と前記第２の右側クリップ加圧部との間に衣類が容易に挿入されるように、前記第２の右側クリップ支持部及び前記第２の右側クリップ加圧部のうち少なくとも１つの表面に、前記第２の右側クリップ支持部と前記第２の右側クリップ加圧部との間の間隔が離れる傾斜部を備えてなることを特徴とする、請求項６に記載の衣類処理装置。
【請求項１０】
前記固定部は、衣類の左側端部を固定するために、前記収容空間に回転自在に備えられる左側フォルダと、衣類の右側端部を固定するために、前記収容空間に回転自在に備えられる右側フォルダとを備えてなることを特徴とする、請求項２に記載の衣類処理装置。
【請求項１１】
前記固定部は、
衣類をプレスするプレス部；及び
前記プレス部に連結され、前記収容空間の内部に回転部によって回転自在に連結されたリンク；を備えてなることを特徴とする、請求項１に記載の衣類処理装置。
【請求項１２】
前記回転部は、回転の中心が移動可能に備えられることを特徴とする、請求項１１に記載の衣類処理装置。
【請求項１３】
前記回転部は、
前記リンクから突出した閉じ突起；
前記リンクの終端から離れる方向に前記閉じ突起から離隔して、前記リンクから突出した開き突起；及び、
前記閉じ突起と前記開き突起がガイドされるガイド溝を備えてなることを特徴とする、請求項１１に記載の衣類処理装置。
【請求項１４】
前記ガイド溝は、上側に向かうほど衣類から離れる第１のガイド溝を備えてなることを特徴とする、請求項１３に記載の衣類処理装置。
【請求項１５】
前記第１のガイド溝の下側終端に前記閉じ突起が到達した場合、前記プレス部は衣類をプレスするように備えられることを特徴とする、請求項１４に記載の衣類処理装置。
【請求項１６】
前記ガイド溝は、さらに、前記第１のガイド溝の下側終端において連結され、下側に向かうほど衣類から離れる第２のガイド溝を備えてなることを特徴とする、請求項１４に記載の衣類処理装置。
【請求項１７】
前記第２のガイド溝は、前記第１のガイド溝の長さより短いことを特徴とする、請求項１６に記載の衣類処理装置。
【請求項１８】
前記ガイド溝は、さらに、前記第１のガイド溝の上側終端において連結され、衣類から離れる方向に形成された第３のガイド溝を備えてなることを特徴とする、請求項１４に記載の衣類処理装置。
【請求項１９】
前記第３のガイド溝の終端は、前記第１のガイド溝の上端と下端の仮想の水平線の間に備えられることを特徴とする、請求項１８に記載の衣類処理装置。
【請求項２０】
前記プレス部がプレスする衣類を支持するように、前記収容空間に備えられた突出部を備えてなり、
前記突出部は、下側に向かうほど衣類に近づく突出部傾斜部を備えてなることを特徴とする、請求項１１に記載の衣類処理装置。
【発明の詳細な説明】
【技術分野】
【０００１】
本発明は、衣類処理装置に関する。
【背景技術】
【０００２】
一般に、衣類処理装置とは、衣類を洗濯、すすぎ、乾燥する洗濯装置、ぬれた衣類を乾燥する乾燥装置、衣類に染み付いた匂いを除去又はシワ（ｗｒｉｎｋｌｅ）を除去するリフレッシャー（ｒｅｆｒｅｓｈｅｒ）などを含む概念である。
【０００３】
従来の衣類処理装置は、回転するドラム内部に衣類を投入して、洗濯、乾燥、リフレッシャーを行っている。しかし、ドラムから取り出した衣類はシワが多くて直ぐには着れないという問題、洗濯水を用いた頻繁な洗濯は衣類の損傷をもたらすという問題、ドラムを回転させるためのモータ駆動によって大きいエネルギー消耗が発生するという問題がある。
【０００４】
かかる問題点を解決するために、洗濯水を貯留するタブ又は回転するドラムを除去して、衣類をかけた状態でスチーム又は熱風を供給して、洗濯、乾燥、リフレッシャーを行う衣類処理装置が発売された。衣類処理装置は、衣類に予め形成された折り目（ｃｒｅａｓｅ）を再度プレスして、衣類の使用によるシワを除去するためのプレッサを含むことができる。
【０００５】
しかし、従来のプレッサは、衣類に発生したシワの除去のために衣類を加圧することによって、予め形成された折り目（ｃｒｅａｓｅ）以外のシワを生成してしまい、衣類に二重にシワを生成するという問題があった。
【発明の概要】
【発明が解決しようとする課題】
【０００６】
よって、本発明は、従来技術の限界及び欠点に起因する１つ以上の問題点を実質的に解消する洗濯物処理装置に関する。
【０００７】
本発明は、衣類の洗濯、乾燥、脱臭、殺菌、及びシワ除去が可能な衣類処理装置を提供することを課題とする。
【０００８】
また、本発明は、衣類に発生したシワを除去して、衣類の折り目が鮮明になるように衣類をプレスする衣類処理装置を提供することを課題とする。
【０００９】
また、本発明は、衣類に予め形成された折り目以外のシワが生成されないように、衣類をプレスする衣類処理装置を提供することを課題とする。
【課題を解決するための手段】
【００１０】
本発明のさらなる利点、目的及び特徴は、以下の説明に部分的に記載され、以下の記載により当業者に明らかになるか、または本発明の実施例から分かることができる。本発明の目的及び他の利点は、明細書及び添付の図面において特に指摘された構造によって実現及び達成され得る。
【００１１】
本発明の目的は、独立請求項の特徴によって解決される。好ましい実施形態は従属請求項に記載されている。
【００１２】
上述した課題を解決するために、一実施例による本発明は、衣類が収容される収容空間が備えられたキャビネット；前記収容空間の内部に空気又は水分のうち少なくとも１つを供給する供給部；衣類のシワを除去するために、衣類を加圧するように前記収容空間の内部に備えられたプレッサ；前記プレッサで衣類を加圧する前に、衣類の左右の両端部を着脱自在に加圧して固定する固定部を含むことを特徴とする衣類処理装置を提供することができる。
【００１３】
一実施例による本発明において、前記固定部は、衣類の中心に備えられた縫い目を加圧しないように、衣類の左右の両端部を加圧して固定することを特徴とする衣類処理装置を提供することができる。
【００１４】
一実施例による本発明において、前記固定部は、前記プレッサの下側に備えられることを特徴とする衣類処理装置を提供することができる。
【００１５】
一実施例による本発明において、前記固定部は、前記収容空間の内部に固定されて衣類を支持する第１の支持部；前記第１の支持部の左側端に備えられ、前記第１の支持部との間に衣類の左側端部を加圧して固定する第１の左側クリップ；前記第１の支持部の右側端に備えられ、前記第１の支持部との間に衣類の右側端部を加圧して固定する第１の右側クリップで構成されることを特徴とする衣類処理装置を提供することができる。
【００１６】
一実施例による本発明において、前記第１の支持部の中心部は、前記収容空間の内部に固定され、前記第１の支持部の両端部は、弾性力を有する自由端として備えられることを特徴とする衣類処理装置を提供することができる。
【００１７】
別の実施例による本発明において、前記固定部は、前記収容空間に固定されて衣類の左側端部を固定する第２の左側クリップと、前記収容空間に固定されて衣類の右側端部を固定する第２の右側クリップとを含み、前記第２の左側クリップは、衣類の左側端部を支持する第２の左側クリップ支持部と、前記第２の左側クリップ支持部から離隔して回転自在に備えられ、前記第２の左側クリップ支持部との間に衣類が挿入されるとき、衣類の挿入方向に回転して弾性力を貯蔵して、貯蔵された弾性力が復元力として作用して衣類を加圧する第２の左側クリップ加圧部で構成され、前記第２の右側クリップは、衣類の右側端部を支持する第２の右側クリップ支持部と、前記第２の右側クリップ支持部から離隔して回転自在に備えられ、前記第２の右側クリップ支持部との間に衣類が挿入されるとき、衣類の挿入方向に回転して弾性力を貯蔵して、貯蔵された弾性力が復元力として作用して衣類を加圧する第２の右側クリップ加圧部で構成されることを特徴とする衣類処理装置を提供することができる。
【００１８】
別の実施例による本発明において、前記第１の左側クリップは、前記第２の左側クリップ支持部と、前記第２の左側クリップ加圧部との間に挿入される衣類の挿入方向に前記第２の左側クリップ加圧部を回転させるために、前記第２の左側クリップ加圧部から延長された第２の左側クリップ取っ手を含み、前記第１の右側クリップは、前記第２の右側クリップ支持部と、前記第２の右側クリップ加圧部との間に挿入される衣類の挿入方向に前記第２の右側クリップ加圧部を回転させるために、前記第２の右側クリップ加圧部から延長された第２の右側クリップ取っ手を含むことを特徴とする衣類処理装置を提供することができる。
【００１９】
別の実施例による本発明において、前記第２の左側クリップは、前記第２の左側クリップ支持部と前記第２の左側クリップ加圧部との間に挿入される衣類を固定するために、前記第２の左側クリップ支持部及び前記第２の左側クリップ加圧部のうち少なくとも１つの表面にゴム材のダンパーを備え、前記第２の右側クリップは、前記第２の右側クリップ支持部と前記第２の右側クリップ加圧部との間に挿入される衣類を固定するために、前記第２の右側クリップ支持部及び前記第２の右側クリップの加圧部のうち少なくとも１つの表面にゴム材のダンパーを備えることを特徴とする衣類処理装置を提供することができる。
【００２０】
別の実施例による本発明において、前記第２の左側クリップは、前記第２の左側クリップ支持と前記第２の左側クリップ加圧部との間に衣類が容易に挿入されるように、前記第２の左側クリップ支持部及び前記第２の左側クリップ加圧部のうち少なくとも１つの表面に、前記第２の左側クリップ支持部と前記第２の左側クリップ加圧部との間の間隔が離れる傾斜部を含み、前記第２の右側クリップは、前記第２の右側クリップ支持部と前記第２の右側クリップ加圧部との間に衣類が容易に挿入されるように、前記第２の右側クリップ支持部及び前記第２の右側クリップ加圧部のうち少なくとも１つの表面に、前記第２の右側クリップ支持部と前記第２の右側クリップ加圧部との間の間隔が離れる傾斜部を含むことを特徴とする衣類処理装置を提供することができる。
【００２１】
また別の実施例による本発明において、前記固定部は、衣類の左側端部を固定するために、前記収容空間に回転自在に備えられる左側フォルダと、衣類の右側端部を固定するために、前記収容空間に回転自在に備えられる右側フォルダを含むことを特徴とする衣類処理装置を提供することができる。
【００２２】
また、本発明は、上述した課題を解決するために、衣類が収容される収容空間が備えられたキャビネット；前記収容空間の内部に空気又は水分のうち少なくとも１つを供給する供給部；衣類のシワを除去するために衣類を加圧するプレッサ；前記プレッサで衣類を加圧する前に衣類を固定する固定部を含み、前記固定部は、衣類をプレスするプレス部；前記プレス部に連結され、前記収容空間の内部に回転部によって回転自在に連結されたリンクを含むことを特徴とする衣類処理装置を提供することができる。
【００２３】
本発明において、前記プレス部はバー状からなることを特徴とする衣類処理装置を提供することができる。
【００２４】
本発明において、前記回転部は、回転の中心が移動可能に備えられることを特徴とする衣類処理装置を提供することができる。
【００２５】
本発明において、前記回転部は、前記リンクから突出した閉じ突起；前記リンクの終端から離れる方向に前記閉じ突起から離隔して、前記リンクから突出した開き突起；前記閉じ突起と前記開き突起がガイドされるガイド溝を含むことを特徴とする衣類処理装置を提供することができる。
【００２６】
本発明において、前記ガイド溝は、上側に向かうほど衣類から離れる第１のガイド溝を含むことを特徴とする衣類処理装置を提供することができる。
【００２７】
本発明において、前記第１のガイド溝の下側終端に前記閉じ突起が到達した場合、前記プレス部は衣類をプレスするように備えられることを特徴とする衣類処理装置を提供することができる。
【００２８】
本発明において、前記ガイド溝は、さらに、前記第１のガイド溝の下側終端において連結され、下側に向かうほど衣類から離れる第２のガイド溝を含むことを特徴とする衣類処理装置を提供することができる。
【００２９】
本発明において、前記第２のガイド溝は、前記第１のガイド溝の長さより短いことを特徴とする衣類処理装置を提供することができる。
【００３０】
本発明において、前記ガイド溝は、さらに、前記第１のガイド溝の上側終端において連結され、衣類から離れる方向に形成された第３のガイド溝を含むことを特徴とする衣類処理装置を提供することができる。
【００３１】
本発明において、前記第３のガイド溝の終端は、前記第１のガイド溝の上端と下端の仮想の水平線の間に備えられることを特徴とする衣類処理装置を提供することができる。
【００３２】
本発明において、前記プレス部がプレスする衣類を支持するように、前記収容空間に備えられた突出部を含み、前記突出部は、下側に向かうほど衣類に近づく突出部傾斜部を含むことを特徴とする衣類処理装置を提供することができる。
【００３３】
前述の一般的な説明および以下の本発明の詳細な説明は、例示的および説明的なものであり、本発明の特許請求の範囲の記載に対してさらなる説明を提供することを意図していることを理解されたい。
【発明の効果】
【００３４】
本発明は、衣類の洗濯、乾燥、脱臭、殺菌及びシワ除去が可能な衣類処理装置を提供する効果がある。
【００３５】
また、本発明は、衣類に発生したシワを除去して、衣類の折り目が鮮明になるように衣類をプレスする衣類処理装置を提供する効果がある。
【００３６】
また、本発明は、衣類に予め形成された折り目以外のシワが生成されないように衣類をプレスする衣類処理装置を提供する効果がある。
【図面の簡単な説明】
【００３７】
本出願に添付された本出願の一部を構成する図は、本発明の実施例を示して本発明のさらなる理解を提供して、明細書と共に本発明の原理を説明する役割を果たす。
【図１】本発明の一実施例による衣類処理装置を示す図である。
【図２】本発明の一実施例による衣類処理装置の断面を示す図である。
【図３】本発明の一実施例による衣類処理装置の断面を示す図である。
【図４】第１の実施例による固定部６１００を示す図である。
【図５】第１の実施例による固定部６１００の断面を示す図である。
【図６】第１の実施例による固定部６１００の使用例を示す図である。
【図７】第２の実施例による固定部６３００を示す図である。
【図８】第２の実施例による固定部６３００の断面を示す図である。
【図９】第２の実施例による固定部６３００の全体斜視図である。
【図１０】第２の実施例による固定部６３００の分解斜視図である。
【図１１】第２の実施例による固定部６３００の使用例を示す図である。
【図１２】第３の実施例による固定部６５００を示す図である。
【図１３】図１２のＢ−Ｂ′の断面図である。
【図１４】本発明の別の実施例による衣類処理装置を示す図である。
【図１５】本発明の別の実施例による衣類処理装置に備えられた固定部を拡大した図である。
【図１６】本発明の別の実施例による衣類処理装置に備えられた固定部の分解斜視図である。
【図１７】本発明の別の実施例による衣類処理装置に備えられた回転部の断面図であり、プレス部によって衣類が加圧された状態を示す図である。
【図１８】本発明の別の実施例による衣類処理装置に備えられた回転部の断面図であり、プレス部によって衣類への加圧が解除された状態を示す図である。
【図１９】図１５のＡ−Ａ′を拡大した断面であり、本発明の別の実施例による衣類処理装置に備えられた突出部及びプレス部の断面を示す図である。
【発明を実施するための形態】
【００３８】
以下、添付図面に基づいて本発明の好適な実施例を詳細に説明する。一方、以下に開示する装置の構成や制御方法は本発明の実施例を説明するためのものであるだけで、本発明の権利範囲を限定するためではなく、明細書全般にわたって同じに使用された参照符号は同一構成要素を示す。
【００３９】
図１は、本発明の一実施例による衣類処理装置を示す図である。
【００４０】
以下、図１を参考して、本発明の一実施例による衣類処理装置を説明する。
【００４１】
本発明の一実施例による衣類処理装置１００は、キャビネット１と、キャビネットの内部に備えられ、衣類が収容される衣類収容部３と、収容空間３１を開閉するために、キャビネット１に回動自在に連結されたドア１１と、収容空間３１に衣類を支持するための衣類支持部を含むことができる。
【００４２】
キャビネット１は、衣類処理装置１００の外観を形成することができ、長方体状であってもよい。
【００４３】
衣類収容部３は、キャビネット１の内部に位置して、衣類が収容される空間を提供する収容空間３１を含むことができる。
【００４４】
衣類支持部は、収容空間３１の内部に備えられる第１の衣類支持部３１０と、ドア１１に備えられる第２の衣類支持部３１２のうち少なくとも１つ以上を備えることができる。
【００４５】
第１の衣類支持部３１０は、収容空間３１の幅方向（ドアの幅方向、Ｙ軸方向）に沿って備えられるバー（ｂａｒ）状に形成することができる。
【００４６】
第２の衣類支持部３１２は、衣類が広げられた状態を維持したまま収容空間３１の内部に位置するようにドア１１の内側面１１ａに設けられることができる。
【００４７】
図２及び図３は、本発明の一実施例による衣類処理装置の断面を示す図である。
【００４８】
図２を参照すると、第２の衣類支持部３１２は、ドア１１に固定されるベース５４、ベース５４から突設され、ドア１１の高さ方向（Ｚ軸方向）に沿って配置される少なくとも１つの支持部５１,  ５２,  ５３を含むことができる。
【００４９】
一例による衣類処理装置１００は、キャビネット１の内部に収容空間３１と分離された機械室７と、機械室７の内部に備えられ、衣類収容部に空気又は水分のうち少なくとも１つを供給する供給部を含むことができる。
【００５０】
機械室７は、収容空間３１の下部に位置することができる。
【００５１】
供給部によって収容空間３１に供給される空気は、加熱された空気（ｈｅａｔｅｄ  ａｉｒ、熱風）であり、供給部によって収容空間に供給される水分は、スチーム（ｓｔｅａｍ）であってもよい。
【００５２】
供給部は、収容空間３１に空気（加熱された空気又は加熱されていない空気）を供給する空気供給部７１と、収容空間３１に水分（ｓｔｅａｍ又はｍｉｓｔ）を供給する水分供給部７２とのうち少なくともいずれか１つを含むことができる。
【００５３】
以下、説明の便宜のために、供給部が空気供給部７１及び水分供給部７２をいずれも含み、空気供給部７１は熱風を収容空間３１に供給して、水分供給部７２はスチームを収容空間３１に供給する場合を基準として説明する。
【００５４】
空気供給部７１は、収容空間３１の内部の空気を循環させる循環ダクト７１１、循環ダクト７１１に沿って流動する空気と熱交換する熱交換部７１３、収容空間３１の内部の空気が循環ダクト７１１に沿って流動できるようにするブロア７１５を含むことができる。
【００５５】
循環ダクト７１１は、収容空間３１に備えられた空気排出部３５及び空気吸入部３６を介して収容空間３１の内部と連通して、収容空間の内部の空気は、空気吸入部、循環ダクト、空気排出部、収容空間の順に循環する。
【００５６】
空気排出部３５と空気吸入部３６は、収容空間３１の底面を貫通するように備えられる。機械室７の内部に備えられた循環ダクト７１１の一端は空気吸入部３６に連結され、循環ダクト７１１の他端は空気排出部３５に連結される。
【００５７】
熱交換部７１３は、循環ダクト７１１へ流入した空気の除湿及び加熱のためにヒットポンプ（ｈｅａｔ  ｐｕｍｐ）として形成されてもよい。ただし、本発明の衣類処理装置に備えられた熱交換部がヒットポンプに限られるわけではない。
【００５８】
熱交換部７１３は、循環ダクト７１１の内部に備えられる蒸発器Ｅ、循環ダクト７１１の内部に位置する凝縮器Ｃ、循環ダクトの外部に位置する圧縮器Ｐ及び膨張器Ｅｘを含むことができる。蒸発器Ｅ、圧縮器Ｐ、凝縮器Ｃ及び膨張器Ｅｘは、冷媒管７１４によって互いに連結される。
【００５９】
圧縮器Ｐは、冷媒が冷媒管７１４に沿って循環するように冷媒を高圧に圧縮する手段であり、蒸発器Ｅは、循環ダクト７１１の内部の空気から熱を吸収して冷媒を蒸発させる手段であり、凝縮器Ｃは、循環ダクト７１１の内部の空気で熱を放出することで冷媒を凝縮させる手段である。
【００６０】
ブロア７１５は、循環ダクト７１１の内部に位置して、収容空間３１の内部の空気が循環ダクト７１１を介して循環できるようにする手段であって、凝縮器Ｃと空気排出部３５との間に位置する。
【００６１】
ブロア７１５が作動するとき、循環ダクト７１１の内部の空気は空気排出部３５を介して収容空間３１へ移動して、収容空間３１の内部の空気は空気吸入部３６を介して循環ダクト７１１へ移動する。
【００６２】
空気吸入部３６を介して循環ダクト７１１へ流入される空気は、蒸発器Ｅを通過しながら冷却され、蒸発器Ｅを通過した空気は凝縮器Ｃを通過しながら加熱される。
【００６３】
蒸発器Ｅを通過しながら空気が冷却される場合、空気に含有された水分は除去され（除湿）、空気から除去された水分（凝縮水）は、蒸発器の表面や循環ダクトの内部に残留する。
【００６４】
衣類処理装置１００は、蒸発器Ｅによって発生する凝縮水を除去するための排水部を含んでもよい。排水部は、循環ダクト７１１の内部に凝縮水が残留して、熱交換部７１３の熱交換の効率を低下させることを防止する。
【００６５】
排水部は、機械室ドア７４に着脱自在に設けられる排水タンク７４５、循環ダクト７１１の内部の凝縮水を排水タンク７４５に供給する排水管７４７及び排水ポンプ７４９を含むことができる。
【００６６】
一方、図３のように、水分供給部７２は、機械室７の内部に備えられる貯留部７２１、貯留部７２１の内部に備えられるヒータ７２５、貯留部７２１を水分排出部３７に連結する水分供給管７２７を含むことができる。
【００６７】
貯留部７２１は水が貯留される手段であり、ヒータ７２５は貯留部７２１の内部に貯留された水を加熱して水をスチームに変える手段であり、水分供給管７２７は貯留部７２１の内部のスチームを収容空間３１に導く手段である。
【００６８】
貯留部７２１には給水部を介して水が供給されるが、給水部は機械室ドア７４に着脱自在に備えられた給水タンク７４３として形成されてもよい。
【００６９】
貯留部７２１には、機械室ドア７４が機械室７を閉鎖すると給水タンク７４３に連結され、機械室ドア７４が機械室７を開放すると給水タンク７４３から分離される連結管７２３をさらに含んでもよい。
【００７０】
給水タンク７４３を機械室ドア７４に着脱自在に形成することは、本発明の衣類処理装置１００が給水源（未図示）から遠く離れた位置に設置される場合を考慮したからである。
【００７１】
本発明は、衣類が収容空間３１の内部で広げられた状態を維持しながら熱風やスチームを供給するため、スチームや熱風の供給が終った後、衣類にシワが生じることを防止することができる。
【００７２】
一方、図１に示すように、一例による衣類処理装置は、衣類に発生したシワを除去したり、衣類に予め設定された折り目を鮮明にするプレッサ９を含んでもよい。
【００７３】
プレッサ（ｐｒｅｓｓｅｒ）９は、収容空間３１に供給されるスチーム及び熱風を利用して、衣類に発生したシワを除去したり、衣類に予め設定された折り目を固定させることができる。
【００７４】
プレッサ９は、収容空間３１内のいずれの位置にも備えられるが、図１はドア１１の内側面１１ａに備えられた場合を一例として示している。
【００７５】
プレッサ９は、ドア１１の内周面に備えられ、衣類が支持される空間（支持空間）を提供する支持部９１と、支持部９１又はドア１１に回転自在に備えられ、支持部９１に位置した衣類を加圧する圧縮部９３で構成することができる。
【００７６】
支持部９１は、収容空間３１に向かうドア１１の表面として備えられてもよく、ドア１１の表面に固定される別の部材として備えられてもよい。図１は支持部９１がドア１１の表面に固定される別の支持ボディー９１１として備えられた場合を一例として示している。
【００７７】
圧縮部９３は、ドア１１の内周面又は支持ボディー９１１に回転自在に備えられる圧縮ボディー９３１、圧縮ボディー９３１を貫通するように備えられ、収容空間３１に流入したスチームや熱風を支持ボディー９１１にかけられた衣類に供給するボディー貫通穴９３３で構成することができる。
【００７８】
圧縮ボディー９３１の一端は、ドア１１又は支持ボディー９１１に回転自在に取り付けられるが、圧縮ボディー９３１の他端（自由端）は、ドア１１又は支持ボディー９１１に着脱自在に取り付けられてもよい。
【００７９】
圧縮ボディー９３１は、締結部９７１，９７３によってドア１１の内周面に着脱自在である。締結部は、ドア１１及び圧縮ボディー９３１のうちいずれか１つに備えられる着脱溝９７１と、ドア１１及び圧縮ボディー９３１のうちその他の１つに備えられ、着脱溝９７１に取り付けられる締結突起９７３で構成することができる。
【００８０】
ハンガー２００のフックＨを第２の衣類支持部５にかけることで、ズボンのような衣類が広げられた状態で支持ボディー９１１の表面にかけられる。持ボディー９１１の表面に衣類がかけられると、ユーザは、圧縮ボディー９３１を支持ボディー９１１方向に回転させて、締結部９７１，９７３を介して圧縮ボディー９３１と支持ボディー９１１を結合させる。衣類が支持ボディー９１１と圧縮ボディー９３１の間で圧縮された状態を維持する間に、空気供給部７１又は水分供給部７２が収容空間３１の内部に熱風やスチームを供給すると、収容空間３１の内部の熱風又はスチームは、ボディー貫通穴９３３を介して衣類に供給される。衣類に発生したシワの除去が可能であるだけではなく、衣類に予め設定された折り目は鮮明にする効果がある。
【００８１】
一方、ズボンのような衣類の場合、縫い目（Ｓｅｗｉｎｇ  Ｌｉｎｅ）が存在するが、プレッサ９が上述した構造のみで形成されると、縫い目によって衣類に不要なシワが形成される可能性がある。
【００８２】
これを防止するために、プレッサ９には、支持ボディー９１１及び圧縮ボディー９３１のうち少なくともいずれか１つに備えられ、縫い目のような衣類の一部領域が圧縮されないようにする溝９１３，９３５などをさらに備えてもよい。
【００８３】
図１は、この溝が支持ボディー９１１に備えられる支持ボディー溝９１３、圧縮ボディー９３１に備えられる圧縮ボディー溝９３７が形成された場合を一例として示している。
【００８４】
支持ボディー溝９１３は、ドアの高さ方向（Ｚ軸方向）に沿って備えられるが、支持ボディー９１１の表面が凹状に折曲して備えられてもよい。支持ボディー溝９１３は、支持ボディー９１１の表面が収容空間３１から離れる方向に凹状に折曲して備えられてもよい。
【００８５】
圧縮ボディー溝９３７もドア１１の高さ方向（Ｚ軸方向）に沿って圧縮ボディー９３１の表面が支持ボディー９１１から離れる方向（収容空間３１に向かう方向）に向けて凹状に折曲して備えられてもよい。
【００８６】
支持ボディー溝９１３は支持ボディー９１１の中央に位置して、圧縮ボディー溝９３７は圧縮ボディー９３１の中央に位置してもよい。
【００８７】
ユーザは衣類に備えられた縫い目を支持ボディー溝９１３又は圧縮ボディー溝９３７に位置させた後、圧縮ボディー９３１を支持ボディー９１１方向に回転させて、圧縮ボディー９３１を支持ボディー９１１に結合して衣類を加圧する。この過程において、衣類の位置が変更したり、衣類の形態が変更されて、衣類に不要なシワが生成される問題がある。
【００８８】
上述した問題を解決するために、一実施例による衣類処理装置は、支持ボディー９１１に位置した衣類を圧縮ボディー９３１で加圧する前に衣類を固定するための固定部６１００，６３００，６５００を含んでもよい。
【００８９】
ユーザは、衣類の縫い目を支持ボディー溝９１３に位置させて、衣類に予め設定された折り目に合わせた後、固定部６１００，６３００，６５００によって衣類の位置を固定させることがでるため、圧縮ボディー９３１を支持ボディー９１１に結合する過程において、衣類の縫い目が支持ボディー溝９１３から離脱するか、衣類に二重のシワが発生する可能性を最小化することができる。
【００９０】
固定部６１００，６３００，６５００は、プレッサ９で衣類を加圧する前に、衣類の左右の両端部を着脱自在に加圧して固定することができる。
【００９１】
固定部６１００，６３００，６５００は、衣類の中心に備えられた縫い目を加圧しないように、衣類の左右の両端部のみを加圧して固定することができる。
【００９２】
固定部６１００，６３００，６５００は、プレッサ９の下部に設けられてもよい。
【００９３】
プレッサ９がドア１１の内側面１１ａに設けられた場合には、固定部もドア１１の内側面１１ａにおいてプレッサ９の下側に設けられてもよい。
【００９４】
また、一例において、プレッサ９が収容空間３１の内側面に備えられた場合には、固定部６１００，６３００，６５００も収容空間３１の内側面においてプレッサ９の下側に設けられてもよい。
【００９５】
また、一例において、プレッサ９は、衣類支持部にかけられてもよく、この場合には、固定部６１００，６３００，６５００はプレッサそのものに備えられてもよく、具体的には、支持ボディーの下側に備えられる。
【００９６】
図４は、第１の実施例による固定部６１００を示す図である。図５は、第１の実施例による固定部６１００の断面を示す図である。
【００９７】
図４を参照すると、第１の実施例による固定部６１００は、収容空間の内部に固定され、衣類を支持する第１の支持部６１１０と、第１の支持部６１１０の左側端に備えられ、第１の支持部６１１０との間に衣類の左側端部を加圧して固定する第１の左側クリップ６１３０と、第１の支持部６１１０の右側端に備えられ、第１の支持部６１１０との間に衣類の右側端部を加圧して固定する第１の右側クリップ６１５０で構成することができる。
【００９８】
第１の支持部６１１０は、支持ボディー９１１の下側に備えられてもよく、支持ボディー９１１から下側に延長して備えられてもよい。図４は、第１の支持部６１１０が支持ボディー９１１とは別の部材として構成される場合を示している。
【００９９】
第１の支持部６１１０の衣類処理装置の高さ方向（Ｚ軸方向）の長さは、第１の左側クリップ及び第１の右側クリップの高さ方向（Ｚ軸方向）の長さより長いことが好ましい。
【０１００】
第１の支持部６１１０は、弾性力を有するように弾性材質で形成され、一例として、プラスチック、延性を有する金属などで形成されることができる。
【０１０１】
図５を参照すると、第１の支持部６１１０の中心部は、収容空間３１の内部に固定され、第１の支持部６１１０の両端部は、弾性力を有する自由端であってもよい。
【０１０２】
第１の支持部６１１０は、ドアの内側面１１ａに第１の支持部の中心部６１１１が固定部材（未図示）によって固定され、第１の支持部６１１０の中心部から左側方向に延長された第１の左側翼６１１３と、右側方向に延長された第１の右側翼６１１５を含んでもよい。
【０１０３】
第１の左側翼６１１３は、第１の支持部の中心部から衣類に向かって斜めに延長された第１の左側翼傾斜部６１１３ａと、第１の左側翼傾斜部に連結され、第１の左側クリップ６１３０と共に衣類の両面をそれぞれ加圧する第１の左側翼加圧部６１１３ｂで構成することができる。
【０１０４】
第１の左側翼傾斜部６１１３ａは、中心部から離れるほどドアの内側面１１ａから離隔するように備えられる。また、第１の左側翼加圧部６１１３ｂは、ドアの内週面から所定間隔で離れて備えられる。
【０１０５】
第１の左側翼６１１３は、第１の左側翼加圧部６１１３ｂの終端からドアの内側面１１ａに延長される第１の左側翼延長部６１１３ｃをさらに含んでもよい。第１の左側翼延長部６１１３ｃの終端は、ドアの内側面１１ａから離隔して備えられる。
【０１０６】
第１の左側翼加圧部６１１３ｂと第１の左側クリップ６１３０との間に衣類が挿入されると、第１の左側翼加圧部６１１３ｂは、ドア側に外力が加われて移動して、第１の左側翼延長部６１１３ｃは、第１の左側翼加圧部６１１ｃがドア側に移動する距離を制限する止め具となる。
【０１０７】
一方、第１の左側翼６１１３は、第１の左側翼傾斜部６１１３ａからドア側に延長されるか、ドアの内側面１１ａから第１の左側翼傾斜部６１１３ａ側に延長される第１の左側翼突出部６１１３ｄをさらに含んでもよい。
【０１０８】
第１の左側翼突出部６１１３ｄは、第１の左側翼傾斜部６１１３ａをドアの内側面１１ａから離隔させる。第１の左側翼加圧部６１１３ｂに外力が作用すると、第１の左側翼突出部６１１３ｄは、第１の左側翼加圧部６１１３ｂの回転中心となり、第１の左側翼加圧部６１１３ｂに弾性復元力を提供することができる。
【０１０９】
第１の右側翼６１１５は、第１の支持部の中心部から衣類に向かって斜めに延長された第１の右側翼傾斜部６１１５ａと、第１の右側翼傾斜部に連結され、第１の右側クリップ６１５０と共に衣類の両面をそれぞれ加圧する第１の右側翼加圧部６１１５ｂで構成することができる。
【０１１０】
第１の右側翼傾斜部６１１５ａは、中心部から離れるほどドアの内側面１１ａから離隔して備えられる。また、第１の右側翼加圧部６１１５ｂは、ドアの内週面から所定間隔で離れて備えられる。
【０１１１】
第１の右側翼６１１５は、第１の右側翼加圧部６１１５ｂの終端からドアの内側面１１ａに延長される第１の右側翼延長部６１１５ｃをさらに含んでもよい。第１の右側翼延長部６１１５ｃの終端は、ドアの内側面１１ａから離隔して備えられる。
【０１１２】
第１の右側翼加圧部６１１５ｂと第１の右側クリップ６１３０との間に衣類が挿入されると、第１の右側翼加圧部６１１５ｂは、ドア側に外力が加われて移動して、第１の右側翼延長部６１１５ｃは、第１の右側翼加圧部６１１ｃがドア側に移動する距離を制限する止め具となる。
【０１１３】
一方、第１の右側翼６１１５は、第１の右側翼傾斜部６１１５ａからドア側に延長されるか、ドアの内側面１１ａから第１の右側翼傾斜部６１１５ａ側に延長される第１の右側翼突出部６１１５ｄをさらに含んでもよい。
【０１１４】
第１の右側翼突出部６１１５ｄは、第１の右側翼傾斜部６１１５ａをドアの内側面１１ａから離隔させる。第１の右側翼加圧部６１１５ｂに外力が作用すると、第１の右側翼突出部６１１５ｄは、第１の右側翼加圧部６１１５ｂの回転中心となり、第１の右側翼加圧部６１１５ｂに弾性復元力を提供することができる。
【０１１５】
第１の左側クリップ６１３０と第１の右側クリップ６１５０は、対向するように備えられ、同じ高さに取り付けられる。
【０１１６】
第１の左側クリップ６１３０は、第１の支持部の左側端に備えられ、第１の左側翼加圧部６１１３ｂと共に衣類の左側端部の前後面をそれぞれ加圧して固定する。
【０１１７】
第１の左側クリップ６１３０は、ドアの内側面１１ａに固定して備えられ、支持ボディー９１１よりも下側に備えられる。よって、支持ボディーと圧縮ボディーによって加圧される衣類の位置及び衣類の形態を固定することができる。
【０１１８】
第１の左側クリップ６１３０は、ドアの内側面１１ａに締結される第１の左側クリップ締結部６１３１と、第１の左側クリップ締結部から第１の支持部の中心部６１１１方向に折曲して延長された第１の左側クリップ加圧部６１３３で構成することができる。
【０１１９】
第１の左側クリップ締結部６１３１は、ドアの内側面１１ａに備えられた第１の左側締結穴６１７１に挿入して締結されてもよい。
【０１２０】
第１の左側クリップ加圧部６１３３は、第１の左側翼加圧部６１１３ｂと共に衣類の左側端部の両面を加圧して固定することができる。第１の左側クリップ加圧部６１３３の左右方向の長さは、第１の左側翼６１１３の左右方向の長さより短くてもよい。
【０１２１】
第１の左側翼突出部６１１３ｄは、第１の左側クリップ加圧部６１３３の終端と第１の支持部の中心部６１１１の間に備えられてもよい。よって、衣類の縫い目が第１の支持部と第１の左側クリップによって加圧されないようにする。
【０１２２】
第１の右側クリップ６１５０は、第１の支持部の右側端に備えられ、第１の右側翼加圧部６１１５ｂと共に衣類の右側端部の前後面をそれぞれ加圧して固定する。
【０１２３】
第１の右側クリップ６１５０は、ドアの内側面１１ａに固定して備えられ、支持ボディー９１１よりも下側に備えられる。よって、支持ボディーと圧縮ボディーによって加圧される衣類の位置及び衣類の形態を固定することができる。
【０１２４】
第１の右側クリップ６１５０は、ドアの内側面１１ａに締結される第１の右側クリップ締結部６１５１と、第１の右側クリップ締結部から第１の支持部の中心部６１１１方向に折曲して延長された第１の右側クリップ加圧部６１５３で構成することができる。
【０１２５】
第１の右側クリップ締結部６１５１は、ドアの内側面１１ａに備えられた第１の右側締結穴６１７１に挿入して締結されてもよい。
【０１２６】
第１の右側クリップ加圧部６１５３は、第１の右側翼加圧部６１１５ｂと共に衣類の右側端部の両面を加圧して固定することができる。第１の右側クリップ加圧部６１５３の左右方向の長さは、第１の右側翼６１１５の左右方向の長さより短くてもよい。
【０１２７】
第１の右側翼突出部６１１５ｄは、第１の右側クリップ加圧部６１５３の終端と第１の支持部の中心部６１１１の間に備えられてもよい。よって、衣類の縫い目が第１の支持部と第１の右側クリップによって加圧されないようにする。
【０１２８】
図６は、第１の実施例による固定部６１００の使用例を示す図である。
【０１２９】
図６Ａを参照して、第１の実施例による固定部の使用例を説明すると、衣類の終端を固定したハンガーＨを圧縮ボディー９３１を開放した状態で第２の衣類支持部３１２にかけて、衣類にシワが発生したり、折り目が設定された部分を支持ボディー９１１の表面に支持させる。この場合、衣類の縫い目が支持ボディー溝９１３又は圧縮ボディー溝９３７に位置するように支持ボディー９１１の表面に位置させて、予め形成された折り目が圧縮ボディー９３１によって加圧されるように衣類の形態を整列する。
【０１３０】
圧縮ボディー９３１を閉じる途中に衣類の位置及び形態を維持するために、衣類の左右の両端部を第１の左側クリップ６１３０と第１の右側クリップ６１５０に固定させる。この後、図６Ｂのように、圧縮ボディー９３１を支持ボディー９１１に締結して衣類を加圧して、衣類に発生したシワを除去して、予め形成された折り目を鮮明になるようにプレスする。
【０１３１】
図７は、第２の実施例による固定部６３００を示す図である。図８は、第２の実施例による固定部６３００の端面を示す図である。
【０１３２】
図７を参照すると、第２の実施例による固定部６３００は、収容空間３１に固定して備えられ、衣類の左側端部を固定する第２の左側クリップ６３１０と、収容空間３１に固定して備えられ、衣類の右側端部を固定する第２の右側クリップ６３３０を含んでもよい。
【０１３３】
第２の左側クリップ６３１０と第２の右側クリップ６３３０は対向するように備えられ、同じ高さに取り付けられる。
【０１３４】
第２の左側クリップと第２の右側クリップは、収容空間の内側面又はドアの内側面１１ａ又はプレッサ９の下端に備えられ、図７は、ドアの内側面１１ａに第２の左側クリップと第２の右側クリップが備えられた場合である。
【０１３５】
図８を参照すると、第２の左側クリップ６３１０は、衣類の左側端部を支持する第２の左側クリップ支持部６３１１と、第２の左側クリップ支持部と共に衣類の両面を加圧する第２の左側クリップ加圧部６３１２で構成することができる。
【０１３６】
第２の左側クリップ支持部６３１１は、ドアの内側面１１ａに設けられ、固定して備えられ、衣類の左側端部の一面を支持する。
【０１３７】
第２の左側クリップ６３１０は、第２の左側クリップをドアの内側面１１ａに締結するために、第２の左側クリップ支持部６３１１の左側終端からドアの内側面に延長された第２の左側クリップ締結部６３１６を含んでもよい。
【０１３８】
第２の左側クリップ支持部６３１１は、その終端から衣類の中心部方向に延長されて備えられた第２の左側クリップ支持突起６３１１ａを含み、第２の左側クリップ支持突起６３１１ａは、ドアの内側面１１ａに備えられた第２の左側支持溝６３１８に挿入され、第２の左側クリップ締結部６３１６は、ドアの内側面１１ａに備えられた第２の左側締結穴６３１７に挿入して固定されるため、第２の左側クリップ６３１０をドアの内側面に固定させることができる。
【０１３９】
第２の左側クリップ加圧部６３１２は、第２の左側クリップ支持部６３１１から所定間隔で離隔して備えられてもよく、又は第２の左側クリップ支持部６３１１の表面に接するように備えられてもよい。
【０１４０】
第２の左側クリップ加圧部６３１２は、第２の左側クリップ支持部６３１１に相対的に回転自在に備えられる。第２の左側クリップ加圧部６３１２の回転軸は、衣類処理装置の高さ方向又は上下方向に備えられてもよい。
【０１４１】
第２の左側クリップ加圧部６３１２は、第２の左側クリップ支持部と第２の左側クリップ加圧部との間に衣類が挿入されるとき、衣類の挿入方向に衣類から外力が加われて回転して弾性力を貯蔵することができ、貯蔵された弾性力は復元力として作用することができる。第２の左側クリップ加圧部６３１２は、貯蔵された弾性力を復元力として第２の左側クリップ加圧部と第２の左側クリップ支持部との間に挿入された衣類を加圧して固定することができる。
【０１４２】
第２の左側クリップ加圧部は、第２の左側クリップ支持部と第２の左側クリップ加圧部との間に衣類が挿入されるとき、第２の左側クリップ支持部から離れるように回転する。
【０１４３】
第２の左側クリップ６３１０は、第２の左側クリップ加圧部６３１２の回転による弾性力を提供するために第２の左側クリップ加圧部６３１２の回転軸に第２の左側クリップ弾性部材６３１３を備えてもよい。（図１０を参照）
【０１４４】
第２の右側クリップ６３３０は、衣類の右側端部を支持する第２の右側クリップ支持部６３３１と、第２の右側クリップ支持部と共に衣類の両面を加圧する第２の右側クリップ加圧部６３３２で構成することができる。
【０１４５】
第２の右側クリップ支持部６３３１は、ドアの内側面１１ａに設けられて、固定して備えられ、衣類の右側端部の一面を支持する。
【０１４６】
第２の右側クリップ６３３０は、第２の右側クリップをドアの内側面１１ａに締結するために、第２の右側クリップ支持部６３３１の右側終端からドアの内側面に延長された第２の右側クリップ締結部６３３６を含んでもよい。
【０１４７】
第２の右側クリップ支持部６３３１は、その終端から衣類の中心部方向に延長されて備えられた第２の右側クリップ支持突起６３３１ａを含み、第２の右側クリップ支持突起６３３１ａは、ドアの内側面１１ａに備えられた第２の右側支持溝６３３８に挿入されて、第２の右側クリップ締結部６３３６は、ドアの内側面１１ａに備えられた第２の右側締結穴６３３７に挿入されて固定されるため、第２の右側クリップ６３３０をドアの内側面に固定させることができる。
【０１４８】
第２の右側クリップ加圧部６３３２は、第２の右側クリップ支持部６３３１から所定間隔で離隔して備えられてもよく、又は第２の右側クリップ支持部６３３１の表面に接するように備えられてもよい。
【０１４９】
第２の右側クリップ加圧部６３３２は、第２の右側クリップ支持部６３３１に相対的に回転自在に備えられる。第２の右側クリップ加圧部６３３２の回転軸は、衣類処理装置の高さ方向又は上下方向に備えられてもよい。
【０１５０】
第２の右側クリップ加圧部６３３２は、第２の右側クリップ支持部と第２の右側クリップ加圧部との間に衣類が挿入されるとき、衣類の挿入方向に衣類から外力が加われて回転して弾性力を貯蔵することができ、貯蔵された弾性力は復元力として作用することができる。第２の右側クリップ加圧部６３３２は、貯蔵された弾性力を復元力として第２の右側クリップ加圧部と第２の右側クリップ支持部との間に挿入された衣類を加圧して固定することができる。
【０１５１】
第２の右側クリップ加圧部は、第２の右側クリップ支持部と第２の右側クリップ加圧部との間に衣類が挿入されるとき、第２の右側クリップ支持部から離れるように回転する。
【０１５２】
第２の右側クリップ６３３０は、第２の右側クリップ加圧部６３３２の回転による弾性力を提供するために、第２の右側クリップ加圧部６３３２の回転軸に第２の右側クリップ弾性部材６３３３を備えてもよい。（図１０を参照）
【０１５３】
図９は、第２の実施例による固定部６３００の全体斜視図であり、図１０は、第２の実施例による固定部６３００の分解斜視図である。
【０１５４】
図９及び図１０を参照すると、第２の左側クリップ６３１０は、第２の左側クリップ支持部６３１１と第２の左側クリップ加圧部６３１２との間に挿入される衣類の挿入方向に第２の左側クリップ加圧部６３１２を回転させるために、第２の左側クリップ加圧部６３１２から延長された第２の左側クリップ取っ手６３１５を含んでもよい。
【０１５５】
第２の左側クリップ取っ手６３１５に力を加えると、第２の左側クリップ加圧部６３１２は、衣類を加圧していた力を解除するように回転する。
【０１５６】
第２の左側クリップ６３１０は、第２の左側クリップ支持部６３１１から所定間隔で離隔して備えられた第２の左側クリップ延長部６３１４を含んでもよい。第２の左側クリップ延長部６３１４は、第２の左側クリップ支持部６３１１から延長されることができる。第２の左側クリップ延長部６３１４と第２の左側支持部６３１１は、衣類側に向かって開放して備えられてもよく、これは衣類に向かって開放した「コ」字状に形成されることができる。
【０１５７】
また、第２の左側クリップ延長部の衣類の中心方向への長さは、第２の左側クリップ支持部の衣類の中心方向への長さと同一に備えられる。
【０１５８】
第２の左側クリップ加圧部６３１２の回転軸６３１２ａは、第２の左側クリップ延長部６３１４の終端又は終端から所定間隔で離隔した位置に備えられる。回転軸６３１２ａを両側に支持するために、第２の左側クリップ延長部は、第２の左側クリップ加圧部６３１２の両側に第２の左側クリップ支持部６３１１から延長して備えられる。または、図１０に示されたように、第２の左側クリップ延長部は、第２の左側クリップ加圧部６３１２を内側に挿入可能な第２の左側クリップ貫通穴６３１４ａを備えてもよい。
【０１５９】
また、第２の左側クリップ加圧部に弾性力を提供する第２の左側クリップ弾性部材６３１３が第２の左側クリップ加圧部の回転軸６３１２ａに備えられ、第２の左側クリップ弾性部材６３１３は、トーションばねとして備えられてもよい。この場合、弾性力は、第２の左側クリップ加圧部の終端が第２の左側クリップ支持部側に回転するように備えられる。
【０１６０】
また、第２の左側クリップ６３１０は、第２の左側クリップ支持部６３１１と、第２の左側クリップ加圧部６３１２との間に挿入される衣類を固定するために、第２の左側クリップ支持部及び第２の左側クリップ加圧部のうち少なくとも１つの表面にゴム材のダンパー６３１１ｂを備えてもよい。よって、ゴム材のダンパー６３１１ａは、衣類との間で摩擦力を増加させて、衣類が第２の左側クリップから引き出されないように固定することができる。
【０１６１】
また、第２の左側クリップ６３１０は、第２の左側クリップ支持部６３１１と、第２の左側クリップ加圧部６３１２との間に衣類が容易に挿入されるように、第２の左側クリップ支持部及び第２の左側クリップ加圧部のうち少なくとも１つの表面に、衣類の中心部側に向かうほど第２の左側クリップ支持部と第２の左側加圧部との間の間隔が離れる傾斜部６１１１ｃを含んでもよい。
【０１６２】
一方、第２の右側クリップ６３３０は、第２の右側クリップ支持部６３３１と第２の右側クリップ加圧部６３３２との間に挿入される衣類の挿入方向に第２の右側クリップ加圧部６３３２を回転させるために、第２の右側クリップ加圧部６３３２から延長された第２の右側クリップ取っ手６３３５を含んでもよい。
【０１６３】
第２の右側クリップ取っ手６３３５に力を加えると、第２の右側クリップ加圧部６３３２は、衣類を加圧していた力が解除されるように回転する。
【０１６４】
第２の右側クリップ６３３０は、第２の右側クリップ支持部６３３１から所定間隔で離隔して備えられた第２の右側クリップ延長部６３３４を含んでもよい。第２の右側クリップ延長部６３３４は、第２の右側クリップ支持部６３３１から延長されることができる。第２の右側クリップ延長部６３３４と第２の右側支持部６３３２は、衣類側に向かって開放して備えれてもよく、これは衣類に向かって開放した「コ」字状に形成されることができる。
【０１６５】
また、第２の右側クリップ延長部の衣類の中心方向への長さは、第２の右側クリップ支持部の衣類の中心方向への長さと同一に備えられてもよい。
【０１６６】
第２の右側クリップ加圧部６３３２の回転軸６３３２ａは、第２の右側クリップ延長部６３３４の終端又は終端から所定間隔で離隔した位置に備えれる。回転軸６３３２ａを両側に支持するために、第２の右側クリップ延長部は、第２の右側クリップ加圧部６３３２の両側に第２の右側クリップ支持部６３３１から延長して備えられてもよい。または、図１０に示されたように、第２の右側クリップ延長部は、第２の右側クリップ加圧部６３３２を内側に挿入可能な第２の右側クリップ貫通穴６３３４ａを備えてもよい。
【０１６７】
また、第２の右側クリップ加圧部に弾性力を提供する第２の右側クリップ弾性部材６３３３が第２の右側クリップ加圧部の回転軸６３３２ａに備えられてもよく、第２の右側クリップ弾性部材６３３３は、トーションばねとして備えられもよい。この場合、弾性力は、第２の右側クリップ加圧部の終端が第２の右側クリップ支持部側に回転するように備えられる。
【０１６８】
また、第２の右側クリップ６３３０は、第２の右側クリップ支持部６３３１と、第２の右側クリップ加圧部６３３２との間に挿入される衣類を固定するために、第２の右側クリップ支持部及び第２の右側クリップ加圧部のうち少なくとも１つの表面にゴム材のダンパー６３３１ｂを備えてもよい。よって、ゴム材のダンパー６３３１ｂは、衣類との間で摩擦力を増加させて、衣類が第２の右側クリップから引き出されないように固定することができる。
【０１６９】
また、第２の右側クリップ６３３０は、第２の右側クリップ支持部６３３１と、第２の右側クリップ加圧部６３３２との間に衣類が容易に挿入されるように、第２の右側クリップ支持部及び第２の右側クリップ加圧部のうち少なくとも１つの表面に、衣類の中心部側に向かうほど第２の右側クリップ支持部と第２の右側加圧部との間の間隔が離れる傾斜部６１１１ｃを含んでもよい。
【０１７０】
図１１は、第２の実施例による固定部６３００の使用例を示す図である。
【０１７１】
図１１Ａに示されたように、衣類を固定する場合、衣類を第２のクリップ支持部６３１１，６３３１と第２のクリップ延長部６３１４，６３３４との間に衣類を挿入すると、衣類によって外力が加われる第２のクリップ加圧部６３１２，６３３２は回転して（第２のクリップ取っ手６３１５，６３３５）に外力を作用して第２のクリップ加圧部を回転させることもできる）、回転された第２のクリップ加圧部６３１２，６３３２の回転軸６３１２ａ，６３３２aに備えられた第２の左側弾性部材６３１３，６３３３によって復元力を受けて、反対方向に回転して衣類を加圧する。
【０１７２】
逆に、図１１Ｂに示されたように、衣類の固定を解除する場合には、第２のクリップ取っ手６３１５，６３３５に外力を作用すると、第２のクリップ加圧部６３１２，６３３２は第２のクリップ支持部６３１１，６３３１から離隔するように回転して、これ以上衣類を加圧しないようにして、衣類に対する固定が解除される。
【０１７３】
図１２は、第３の実施例による固定部６５００を示す図である。図１３は、図１２のＢ−Ｂ´の断面図である。
【０１７４】
第３の実施例による固定部６５００は、衣類の左側端部を固定するために、収容空間３１に回転自在に備えられる左側フォルダ６５１０と、衣類の右側端部を固定するために収容空間３１に回転自在に備えられる右側フォルダ６５３０を含んでもよい。
【０１７５】
左側フォルダと右側フォルダは、対向して並んで備えられてもよく、互いに同一の高さに設けられるように備えられてもよい。
【０１７６】
左側フォルダと右側フォルダによって衣類が加圧されても、衣類の縫い目（中心部）は加圧されないように備えられることができる。
【０１７７】
第３の実施例による固定部６５００は、収容空間３１の内側面に取り付けられてもよく、ドアの内週面に取り付けられてもよく、プレッサ９に一体に備えられてもよいが、図１２は、プレッサ９に固定部が備えられた場合の一例を示している。
【０１７８】
図１２を参照すると、第３の実施例による固定部６５００は、支持ボディー９１１から下側に延長された支持ボディー延長部９１１ａに備えられてもよい。固定部６５００は、圧縮ボディー９３１の下側に近づくように備えれてもよい。よって、支持ボディー９１１と圧縮ボディー９３１にプレスされる衣類において最も近づいた衣類の部分を固定して衣類の位置及び衣類の形態が変更されないように衣類を固定することができる。
【０１７９】
図１３Ａを参照すると、左側フォルダ６５１０は、衣類の左側端部を加圧する左側フォルダボディー６５１１と、左側フォルダボディーを支持ボディーの延長部９１１ａに回動自在に連結させる左側フォルダヒンジ６５１３で構成することができる。
【０１８０】
左側フォルダボディー６５１１は、衣類と面接触できるように板状に形成されてもよい。左側フォルダヒンジ６５１３は、左側フォルダボディー６５１１と支持ボディー延長部９１１ａの間の角度が所定の臨界角度内で回転するとき、左側フォルダボディー６５１１が支持ボディー延長部方向に回転するように内部にトーションばね（未図示）を備えてもよい。
【０１８１】
また、左側フォルダボディー６５１１の表面には、衣類との摩擦力を増加させるために、ゴム材のダンパー（未図示）を備えてもよい。
【０１８２】
一方、右側フォルダ６５３０は、衣類の左側端部を加圧する右側フォルダボディー６５３１と、右側フォルダボディーを支持ボディーの延長部９１１ａに回動自在に連結させる右側フォルダヒンジ６５３３で構成することができる。
【０１８３】
右側フォルダボディー６５３１は、衣類と面接触できるように板状に形成されてもよい。右側フォルダヒンジ６５３３は、右側フォルダボディー６５３１と支持ボディー延長部９１１ａとの間の角度が所定の臨界角度内で回転するとき、右側フォルダボディー６５３１が支持ボディー延長部方向に回転するように内部にトーションばね（未図示）を備えてもよい。
【０１８４】
また、右側フォルダボディー６５３１の表面には、衣類と摩擦力を増加させるためにゴム材のダンパー（未図示）を備えてもよい。
【０１８５】
図１３Ｂに示されたように、左側フォルダと右側フォルダは、衣類の左側端部と右側端部をそれぞれ加圧して衣類の位置や形態が変更されることを防止して、支持ボディーに支持される衣類を圧縮ボディーで加圧するとき、二重シワが生成されることを防止することができる。
【０１８６】
図１４は、本発明の別の実施例による衣類処理装置を示す図である。以下、図１４を参照して、本発明の別の実施例による衣類処理装置について説明する。
【０１８７】
本発明の別の実施例による衣類処理装置１００は、キャビネット１と、キャビネットの内部に備えられ、衣類が収容される衣類収容部３と、収容空間３１を開閉するためにキャビネット１に回動自在に連結されたドア１１と、収容空間３１に衣類を支持するための衣類支持部を含んでもよい。
【０１８８】
キャビネット１は、本発明の別の実施例による衣類処理装置１００の外観を形成することができ、直方体状であってもよい。
【０１８９】
衣類収容部３は、キャビネット１の内部に位置して、衣類が収容される空間を提供する収容空間３１を含んでもよい。
【０１９０】
衣類支持部は、収容空間３１の内部に備えられる第１の衣類支持部３１０と、ドア１１に備えられる第２の衣類支持部３１２のうち少なくとも１つ以上を備えてもよい。
【０１９１】
第１の衣類支持部３１０は、収容空間３１の幅方向（ドアの幅方向、Ｙ軸方向）に沿って備えられるバー（ｂａｒ）状に形成することができる。
【０１９２】
第２の衣類支持部３１２は、衣類が広げられた状態を維持したまま収容空間３１の内部に位置するようにドア１１の内側面に設けられることができる。
【０１９３】
一方、本発明の別の実施例による衣類処理装置は、図２及び図３に示された構成を含み、これに関する説明は、上述した説明と重なることを避けるために省略する。
【０１９４】
図１５は、本発明の別の実施例による衣類処理装置に備えられた固定部８５を拡大した図である。
【０１９５】
ユーザは衣類に形成された縫い目を支持ボディー溝９１３や圧縮ボディー溝９３７に位置させた後、圧縮ボディー９３１を支持ボディー９１１方向に回転させて、圧縮ボディー９３１を支持ボディー９１１に結合させて衣類を加圧する。この過程において、衣類の位置が変更されて衣類に不要なシワが生成される問題があった。
【０１９６】
上述した問題を解決するために、図１５に示したように、本発明の別の実施例による衣類処理装置は、支持ボディー９１１に位置した衣類を圧縮ボディー９３１で加圧する前に、衣類を固定するための固定部８５を含んでもよい。
【０１９７】
ユーザは衣類の縫い目を支持ボディー溝９１３に位置させて、衣類に予め設定された折り目を合わせた後、固定部８５によって衣類の位置を固定させることができるため、圧縮ボディー９３１を支持ボディー９１１に結合させる過程において衣類の縫い目が支持ボディー溝９１３から離脱するか、衣類に二重シワが発生する可能性を最小化することができる。
【０１９８】
固定部８５は、プレッサ９の下部に設けられる。プレッサ９がドア１１の内側面１１ａに設けられた場合には、固定部８５もドア１１の内側面１１ａにおいてプレッサ９の下側に設けられることができる。
【０１９９】
図１６は、本発明の別の実施例による衣類処理装置に備えられた固定部の分解斜視図である。
【０２００】
図１６を参照すると、固定部８５は、衣類をプレスするプレス部８５１と、プレス部８５１に連結され、収容空間３１の内部に回転部８５５によって回転自在に連結されたリンク８５３で構成することができる。
【０２０１】
プレス部８５１は、支持ボディー９１１に位置した衣類を圧縮ボディー９３１で加圧する前に、衣類の位置及び形態が変更されないように衣類の一面を加圧して固定する役割を果たすことができる。
【０２０２】
プレス部８５１は、バー状であってもよく、バー状のプレス部８５１が衣類の一面を加圧して衣類が元の位置から外れることを防止することができる。衣類はドア１１の内側面１１ａとプレス部８５１の間に位置するように備えられる。
【０２０３】
リンク８５３は、一端がプレス部８５１に連結されて、他端は収容空間３１の内週面又はドア１１の内側面１１ａに回転自在に連結される。
【０２０４】
リンク８５３は、収容空間３１の内週面又はドア１１の内側面１１ａに回転部８５５によって回転自在に連結され、リンク８５３は、本発明の別の実施例による衣類処理装置の高さ方向に回転自在に連結される。この場合、リンク８５３の回転軸は地面に平行に備えられる。
【０２０５】
リンク８５３の他端を回転中心にリンク８５３の一端に連結されたプレス部８５１は、本発明の別の実施例による衣類処理装置の高さ方向に回転することができ、リンク８５３の回転によってプレス部８５１は、収容空間３１の内週面又はドア１１の内側面１１ａとの間の間隔を調節することができる。
【０２０６】
ユーザはプレス部８５１に外力を加えて、プレス部とリンクを回転させることができ、プレス部８５１とドアの内側面１１ａの間には間隔が発生して、この間隔の間に衣類を挿入して、プレス部８５１に作用する外力を除去すると、プレス部８５１はドアの内週面との間に衣類を加圧して衣類の位置又は形態が変更されることを防止することができる。
【０２０７】
リンク８５３は、直線状のバーとして備えられてもよく、衣類から離れる方向に膨らんだ弓状に形成されてもよい。
【０２０８】
リンク８５３は、衣類の左側／右側のそれぞれに左側リンク及び右側リンクとして２つ形成されてもよく、プレス部の両端は左側リンクと右側リンクにそれぞれ連結され、左側リンクと右側リンクのそれぞれはドアに回転部によって回転自在に連結されてもよい。
【０２０９】
一方、回転部８５５は、リンク８５３を収容空間３１又はドア１１に回転自在に連結するための構成である。図１６は、ドア１１の内週面に回転部８５５が備えられた一例を示している。以下、ドア１１に回転部８５５が備えられた場合について説明する。
【０２１０】
一例として、回転部８５５は、リンクをドア１１に回転軸が動かない固定回転軸に連結して、リンク又はプレス部をドアに固定するための締結部材（未図示）が備えられ、衣類を加圧して固定することができる。
【０２１１】
また、一例として、回転部８５５は、リンクをドア１１に回転軸が動ける流動回転軸に連結して、別の締結部材なく、衣類を加圧して固定することができる。以下、流動回転軸を有する回転部８５５について説明する。
【０２１２】
一例として、回転部８５５は、リンクから突出した閉じ突起８５５１と、閉じ突起８５５１から離隔してリンクから突出した開き突起８５５３と、閉じ突起８５５１と開き突起８５５３がガイドされるガイド溝８５７２からなる。
【０２１３】
閉じ突起８５５１は、リンクの側面終端に備えられ、リンクの側面とは、衣類に向かう面の反対側の面を意味することができる。
【０２１４】
開き突起８５５３は、リンクの側面終端において、閉じ突起から所定間隔で離隔して備えられる。開き突起８５５３は、閉じ突起より相対的にリンクの終端から離れて備えられる。
【０２１５】
ガイド溝８５７２は、閉じ突起８５５１と開き突起８５５３が挿入されて内部を移動可能に所定の空間を提供して、閉じ突起８５５１と開き突起８５５３の移動をガイドして、移動を制限することができる。
【０２１６】
図１７は、本発明の別の実施例による衣類処理装置に備えられた回転部の断面図であり、プレス部によって衣類が加圧された状態を示す図である。
【０２１７】
図１７を参照すると、ガイド溝８５７２は、ドア１１の内側面に直接備えられてもよく、又はドア１１に着脱自在に設けられる別のガイド８５７に備えられてもよい。図１６は、ガイド溝がガイド８５７に備えられた一例を示す図である。
【０２１８】
ガイド８５７は、ドアの内側面１１ａに備えられたガイド締結部１１ｂに設けられてもよい。ガイド締結部１１ｂは、プレッサの下側にドアの両端の内周面に備えられてもよく、ガイド８５７が挿入されるように凹状に備えられてもよい。
【０２１９】
ガイド溝８５７２は、ガイド８５７から衣類に向かう面に形成することができる。ガイド溝８６７２に閉じ突起及び開き突起が挿入されてガイドされると、リンクはガイドよりドアの中心部に近づいて備えられる。
【０２２０】
閉じ突起８５５１と開き突起８５５３がガイド溝８５７２に挿入された場合、閉じ突起８５５１は開き突起８５５３より下側に位置するように備えられる。
【０２２１】
ガイド溝８５７２は、本発明の別の実施例による衣類処理装置の高さ方向から上側に向かうほど衣類から離れる第１のガイド溝８５７３を含んでもよい。
【０２２２】
第１のガイド溝８５７３は、ドアに相対的に斜めに備えられ、閉じ突起と開き突起が直線運動可能な空間を提供することができる。
【０２２３】
第１のガイド溝８５７３は、閉じ突起８５５１と開き突起８５５３を本発明の別の実施例による衣類処理装置の高さ方向にガイドすることができる。閉じ突起と開き突起が下側に第１のガイド溝によってガイドされるほど、リンク８５３及びプレス部８５１は下側に移動して、衣類との間隔が狭くなり得、プレス部８５１は衣類を加圧することができる。
【０２２４】
第１のガイド溝８５７３の下側終端に閉じ突起８５５１が到達した場合、プレス部８５１は衣類をプレスするように備えられてもよい。
【０２２５】
逆に、閉じ突起と開き突起が上側に第１のガイド溝によってガイドされるほど、リンク及びプレス部は上側に移動して、衣類との間隔が広くなり得、衣類へのプレス部の加圧が解除されて衣類の位置及び形態を調節することができる。
【０２２６】
一方、閉じ突起８５５１と開き突起８５５３の間の距離は、第１のガイド溝８５７３の長さより短くて、第１のガイド溝８５７３によって閉じ突起８５５１と開き突起８５５３が共に直線運動可能な十分な空間を提供する。
【０２２７】
一方、一実施例において、ガイド溝８５７２は、第１のガイド溝８５７３の下側終端に連結され、下側に向かうほど衣類から離れる第２のガイド溝８５７５を含んでもよい。
【０２２８】
第２のガイド溝８５７５は、ドアに相対的に斜めに備えられ、閉じ突起８５５１が直線運動できるように所定の空間を提供することができる。
【０２２９】
第２のガイド溝８５７５と第１のガイド溝８５７３とは互いに連通するように備えられ、第１のガイド溝の内部においてガイドされる閉じ突起８５５１は、第２のガイド溝の内部に移動することができる。第１のガイド溝と第２のガイド溝とが合う部分から各々のガイド溝が離れるほどドアに相対的に離れるように備えられる。
【０２３０】
第２のガイド溝８５７５の長さは、第１のガイド溝８５７３の長さより短く備えられる。また、第２のガイド溝８５７５の長さは閉じ突起８５５１と開き突起８５５３の間の長さより短く備えられる。よって、第１のガイド溝８５７３の内部でガイドされる閉じ突起と開き突起において、閉じ突起８５５１のみが第２のガイド溝の内部によってガイドされ、開き突起８５５３は第２のガイド溝の内部に入れず、第１のガイド溝の内部でのみガイドされる。
【０２３１】
閉じ突起８５５１が第１のガイド溝８５７３の内部から下側方向に移動して、第１のガイド溝の終端に連結された第２のガイド溝の内部に入る瞬間に、プレス部８５１がドアに近づくようにリンク８５３は衣類側に回転する。プレス部は衣類の位置や形態が変更されないように衣類を加圧する。
【０２３２】
第２のガイド溝８５７５から閉じ突起８５５１が離脱しないようにする止め具の役割を果たしてリンクが回転しないようにして、プレス部８５１による衣類の加圧力を高めることができる。
【０２３３】
図１８は、本発明の別の実施例による衣類処理装置に備えられた回転部の断面図であり、プレス部によって衣類への加圧が解除された状態を示す図である。
【０２３４】
図１８を参照すると、一実施例において、ガイド溝８５７２は、第１のガイド溝８５７３の上側終端に連結され、衣類から離れる方向に形成された第３のガイド溝８５７７を含む。
【０２３５】
第３のガイド溝８５７７は、固定部で衣類を加圧することを解除して、衣類をプレス部とドアの間に挿入可能にする構成である。
【０２３６】
第３のガイド溝８５７７の内部は、第１のガイド溝８５７３の内部と連通して、開き突起８５５３は第１のガイド溝８５７３の内部を移動して第３のガイド溝８５７７の内部に移動することができる。
【０２３７】
第３のガイド溝８５７７は、開き突起８５５３が衣類から離れる方向に直線又は曲線移動可能な空間を提供することができる。ただし、図１８は、第３のガイド溝は、開き突起が曲線移動可能に備えられた空間を提供する。
【０２３８】
一例において、第３のガイド溝８５７７は、「Ｕ」字状を上下に反転させた形状であってもよい。一例において、第３のガイド溝８５７７の終端は、第１のガイド溝８５７３によって垂直な方向に投射された高さの間に備えられてもよい。一例として、第３のガイド溝８５７７の終端が第１のガイド溝の上端と下端においてそれぞれ延長された仮想の水平線の間に位置することができる。一例において、第３のガイド溝８５７７の終端は、第１のガイド溝８５７３の内部を成す一部の空間と同じ高さに位置することができる。一例において、第３のガイド溝８５７７は、第１のガイド溝の終端において衣類から離れて下側に弧を成して形成されてもよい。
【０２３９】
第３のガイド溝８５７７は、固定部８５が衣類を加圧しない場合、開き突起８５５３がかけられる空間を提供することができる。
【０２４０】
固定部に外力を作用して固定部を上側に移動させる場合、閉じ突起８５５１と開き突起８５５３は第１のガイド溝によって上側方向にガイドされ、開き突起８５５３のみが第３のガイド溝８５７７に入ってガイドされ、閉じ突起８５５１は第３のガイド溝に入れず第１のガイド溝に留まる。
【０２４１】
開き突起８５５３が第３のガイド溝８５７７に入って、リンクは共に衣類から離れる方向に回転して、衣類を加圧していたプレス部も衣類から離れるように移動する。
【０２４２】
図１９は、図１５のＡ−Ａを拡大した断面であり、本発明の別の実施例による衣類処理装置に備えられた突出部とプレス部の断面を示す図である。
【０２４３】
図１９を参照すると、別の実施例による衣類処理装置は、収納空間又はドアに備えられる突出部８５９を含んでもよい。
【０２４４】
突出部８５９とプレス部８５１の間に衣類が位置するように備えられ、プレス部８５１によって衣類が加圧される場合、衣類を支持する構成である。
【０２４５】
突出部８５９は、収容空間３１の内側面又はドア１１の内側面１１ａから突出する突出部ボディー８５９１と、突出部ボディー８５９１において衣類に接触する面に備えられた突出部傾斜部８５９３で構成することができる。
【０２４６】
突出部ボディー８５９１は、収容空間の内側面又はドアの内側面１１ａに一体に又は着脱自在に備えられてもよい。図１６は、ドアの内側面に一体に形成された突出部ボディーの一例を示す図である。
【０２４７】
突出部傾斜部８５９３が衣類の一面を支持すると、プレス部８５１が衣類の他面を加圧して、衣類の位置及び衣類の形態を一定に固定することができる。
【０２４８】
突出部傾斜部８５９３は、下側に向かうほど衣類に近づくように備えられる。換言すれば、突出部ボディー８５９１は、下側に向かうほど厚さが大きくなるように、突出部傾斜部８５９３は斜めに備えられてもよい。
【０２４９】
突出部傾斜部８５９３は、下側に向かうほど傾斜度が低くなるように備えられてもよい。プレス部８５１は、突出部傾斜部８５９３の下部をプレスするように備えられてもよい。
【０２５０】
本発明は多様な形態に変形されて実施可能であり、前述した実施例にその権利範囲が限定されない。したがって、変形された実施例が本発明特許請求範囲の構成要素を含んでいれば本発明の権利範囲に属するものに見なさなければならない。
【図１】
2019537478.tif 000003
【図２】
2019537478.tif 000004
【図３】
2019537478.tif 000005
【図４】
2019537478.tif 000006
【図５】
2019537478.tif 000007
【図６Ａ】
2019537478.tif 000008
【図６Ｂ】
2019537478.tif 000009
【図７】
2019537478.tif 000010
【図８】
2019537478.tif 000011
【図９】
2019537478.tif 000012
【図１０】
2019537478.tif 000013
【図１１Ａ】
2019537478.tif 000014
【図１１Ｂ】
2019537478.tif 000015
【図１２】
2019537478.tif 000016
【図１３Ａ】
2019537478.tif 000017
【図１３Ｂ】
2019537478.tif 000018
【図１４】
2019537478.tif 000019
【図１５】
2019537478.tif 000020
【図１６】
2019537478.tif 000021
【図１７】
2019537478.tif 000022
【図１８】
2019537478.tif 000023
【図１９】
2019537478.tif 000024
【国際調査報告】
2019537478.tif 000025
2019537478.tif 000026